(57)【特許請求の範囲】
【請求項１】
前面が開口した箱体における左右両側板の内壁面に固定する金属製の固定側レールと、棚板の左右両側下面に固定するプラスチック製のスライド側レールとよりなり、上記固定側レールは、金属線の前後両端部を折り曲げて、左右両側板の内壁面に当接する前後一対の円弧部と、左右両側板の内壁面から離隔する方向に膨出した前後一対の突出部と、左右両側板の内壁面に穿設した前後の小孔に嵌合する前後一対の突起とを形成し、上記スライド側レールは、棚板の左右両側下面に固定するための固定部と、該固定部の外側に、棚板の左右両側と相俟って前記固定側レールへの挿入用の溝を形成するための、縦縁と横縁とよりなる断面鈎型の屈曲部を形成し、この屈曲部における縦縁の後部には、縦縁から横縁側に突出し且つ縦縁側に圧縮する弾性部材を形成したことを特徴とする収納家具における棚板の支持装置。
【発明の詳細な説明】
【技術分野】
【０００１】
本発明は、収納家具の箱体に、棚板を着脱自在に且つ前後にスライド自在に支持する装置に関するものである。
【背景技術】
【０００２】
例えば、木製書棚のような収納家具における左右両側板の内壁面に前後方向に支持杆を固定し、この支持杆上に木製の棚板を前後にスライド自在に載置するとか、木製の棚板の両側に溝を刻設して支持杆にスライド自在に嵌合する手段が使用されている。
【０００３】
上記の棚板の支持手段は、棚板を箱体から簡単に離脱することができるが、手前に引き出した際に、棚板の後端が支持杆から外れ、棚板上に収納した品物を落下させることがあった。また棚板に溝を形成する場合は、厚い木板を使用しなければならなかった。
【発明の開示】
【発明が解決しようとする課題】
【０００４】
本発明は、収納家具における箱体に装着した棚板を容易に着脱し、且つ前後に安心してスライドし得る棚板の支持装置を提供しようとするものである。
【課題を解決するための手段】
【０００５】
本発明に係る請求項１の収納家具における棚板の支持装置は、前面が開口した箱体における左右両側板の内壁面に固定する金属製の固定側レールと、棚板の左右両側下面に固定するプラスチック製のスライド側レールとよりなり、上記固定側レールは、金属線の前後両端部を折り曲げて、左右両側板の内壁面に当接する前後一対の円弧部と、左右両側板の内壁面から離隔する方向に膨出した前後一対の突出部と、左右両側板の内壁面に穿設した前後の小孔に嵌合する前後一対の突起とを形成し、上記スライド側レールは、棚板の左右両側下面に固定するための固定部と、該固定部の外側に、棚板の左右両側と相俟って前記固定側レールへの挿入用の溝を形成するための、縦縁と横縁とよりなる断面鈎型の屈曲部を形成し、この屈曲部における縦縁の後部には、横縁側に突出し且つ縦縁側に圧縮する弾性部材を形成したことを特徴としている。
【０００６】
この収納家具における棚板の支持装置は、固定側レールの前後の突起を箱体における両側板の内壁面に穿設した前後の小孔に嵌入し、前後一対の円弧部を両側板の内壁面に当接させて、固定側レールを両側板の内壁面から離隔した状態で固定する。スライド側レールの固定部を棚板の左右両側下面に木ネジとか接着剤を用いて固定する。このスライド側レールの断面鈎型の屈曲部と棚板の左右両側とにより形成された溝の後端を固定側レールの前端に合致させ、棚板を箱体内に差し込むと、スライド側レールの後部の縦縁から溝内に突設した弾性部材が固定側レールの前端に設けた突出部に係合し、弾性部材は縦縁側に後退しながら突出部を乗り越え、一旦前進して円弧部に嵌入した後、固定側レールに圧接しながら後方へスライドする。弾性部材が後側の円弧部に嵌入した後、固定側レールの後端に設けた突出部に達すると、弾性部材は前部の突出部の場合と同様に後退しながらこれを乗り越え、突出部の後側に係合する。このとき棚板は後端が箱体の背板に衝突して安定する。
【０００７】
箱体に挿入された棚板を手前に引き出すと、弾性部材が後退しながら固定側レールの後端の突出部を乗り越えた後、円弧部に嵌入し、固定側レールに圧接しながら手前にスライドする。弾性部材が固定側レールの前端の円弧部に嵌入して突出部に衝突すると、棚板の引き出しが一旦ストップする。この状態において棚板を更に手前に引き出すと、弾性部材が後退しながら前端の突出部を乗り越え、棚板は箱体から取り外される。
【発明の効果】
【０００８】
請求項１の収納家具における棚板の支持装置を書棚等に使用するときは、スライド側レールの弾性部材が固定側レールの後端の突出部の後側に係合するため、棚板が箱体から自然に突出することがない。また弾性部材が後端の円弧部に嵌入したとき、及び突出部を乗り越えたとき、クリック感を生ずるため、棚板が箱体内に確実に支持されたことを確認することができる。更に棚板の後部を箱体内に支持させた状態に引き出すときは、弾性部材が前端の円弧部に嵌入し、突出部に係止されるため、棚板の無意識な引き出しにより、可動側レールが固定側レールから外れ、棚板上の収納物を脱落することがない。
【０００９】
固定側レールの前後には、箱体の左右両側板に当接する円弧部を設けたから、固定側レールを左右両側板から離隔させ、スライド側レールの断面鈎型の屈曲部と棚板の左右両側とにより形成された溝に、確実に嵌合させることができる。
【００１０】
スライド側レールの固定部を棚板の左右両側下面に固定して溝を形成するものであるから、棚板の左右両側に溝を刻設する場合と異なり、薄い棚板を使用することができる。
【発明を実施するための最良の形態】
【００１１】
以下、本発明に係る請求項１及び２の実施形態を図１〜図５を参照して詳細に説明する。図１乃至図５は本発明に係る棚板の支持装置を学童用具等の整理棚に使用した状態を示すものであって、図１は棚板を差し込んだ状態の横断平面図であり、図２は棚板を引き出した状態の横断面図であり、図３は図１に示すＡ−Ａ断面図である。また図４は固定側レールの後端の突出部にスライド側レールの弾性部材が係合した状態を示す斜視図であり、図５は固定側レールの前端の突出部にスライド側レールの弾性部材が係合した状態を示す斜視図である。
【００１２】
符号１は学童が各種の用具を収納する整理棚の箱体であり、箱体１の左右両側板２の内壁面には、前後一対の小孔３を上下に一定間隔を保って穿設している。
【００１３】
符号４及び５は本装置における金属製の固定側レールとプラスチック製のスライド側レールである。上記固定側レール４は太さが４mmの金属線の前後両端を折り曲げて、左右両側板２の小孔３に嵌入する突起６と、左右両側板２の内壁面に当接する円弧部７を形成している。この円弧部７は固定側レール４を左右両側板２の内壁面に固定した際に、固定側レール４を左右両側板２の内壁面から少し離隔させるためのものである。上記突起６の基部と円弧部７の間には円弧状の突出部８を形成している。この円弧状の突出部８は左右両側板２の内壁面に固定された固定側レール４より内壁面から離隔する方向に膨出している。
【００１４】
上記のスライド側レール５は、棚板９の左右両側への固定部１０を設けると共に、外側の後端から前部に亘り、縦縁と横縁とよりなる断面鈎型の屈曲部１０ａを設け、この屈曲部１０ａと棚板９の左右の外側部とにより、固定側レール４に挿入する溝１１を形成している。
【００１５】
前記、屈曲部１０ａにおける縦縁の後部には、横縁側に突出し且つ縦縁側に圧縮する弾性部材１２を突設している。この弾性部材１２は溝１１の後部に、前後方向に長い窓１３を設け、この窓１３の前端より窓１３内に突出させた弾片１４の外側面に突部１５を設け、この突部１５を横縁側に突出させている。尚、符号１６はスライド側レール５の後端より後方へ突出した棚板９の後端部である。更に、符号１７は棚板１０の前端に固定した把手兼用の化粧杆であり、１８は木ネジ、１９は箱体１の背板である。
【００１６】
図１乃至図３に示すように、固定側レール４の前後の突起６を箱体１における左右両側板２の内壁面に穿設した前後の小孔３に嵌入すると共に、前後の円弧部７を両側板２の内壁面に当接させる。スライド側レール５における固定部１０を溝１１が外向きになるように棚板９の左右両側下面に木ネジ１８を用いて固定する。
【００１７】
スライド側レール５より後方に突出した棚板９の後端部１６を固定側レール４上に載せ、棚板９を水平に押し込めば、スライド側レール５の溝１１が固定側レール４の前端に自然に嵌合し、弾性部材１２の突部１５が固定側レール４の前部の突出部８に当たると、弾性部材１２の弾片１４が内側の後退し、図５に示すように、突部１５が突出部８を乗り越え、円弧部７に一旦嵌入した後、固定側レールに圧接しながら後方へスライドする。後部の円弧部７に嵌入して後部の突出部８に達すると、再び弾性部材１２の弾片１４が内側の後退し、図４に示すように、突部１５が円弧部７に一旦嵌入した後、突出部８を乗り越えて突出部８の後側に係合し、棚板９は後端が箱体１の背板１９に衝突して安定する。
【００１８】
箱体１に挿入された棚板９を手前に引き出すと、弾性部材１２の突部１５が後退しながら固定側レール４の後端の突出部８を乗り越え、円弧部７に嵌入した後、固定側レール４に接しながら手前にスライドする。弾性部材１２の突部１５が固定側レール４の前端の円弧部７に嵌入して突出部８に達すると、棚板９の引き出しが一旦ストップする。そのため、誤ってスライド側レールが固定側レールから外れ、棚板上の収納物を脱落することがない。棚板が引き出しこの状態において棚板９を更に手前に強く引き出すと、弾性部材１２の突部１５が前端の突出部８を乗り越え、棚板９は箱体１から取り外される。従って、整理棚における棚板９と棚板９の間隔を変える場合は、固定側レール４を上又は下の小孔３に差し替えることにより、棚板間の間隔を容易に調整することができる。
【００１９】
上記実施形態のように、スライド側レール５を棚板９より短くし、棚板９の後部が突出するように形成するときは、棚板９の後部を固定側レール４の前端に載置して差し込めば、スライド側レール５の溝１１が固定側レール４に自然に嵌合するので、幼児や学童が使用する収納家具用の棚板の支持装置として最適である。
【図面の簡単な説明】
【００２０】
【図１】本発明の一実施の形態を示す横断平面図である。
【図２】同上実施の形態において、棚板の引き出し状態を示す横断面図である。
【図３】図１に示すＡ−Ａ断面図である。
【図４】同上実施の形態における固定側レールの後端の突出部とスライド側レールの弾性部材との関係を示す斜視図である。
【図５】同上実施の形態における固定側レールの前端の突出部とスライド側レールの弾性部材との関係を示す斜視図である。
【符号の説明】
【００２１】
１        箱  体
２        左右両側板
３        小  孔
４        固定側レール
５        スライド側レール
６        突  起
７        円弧部
８        突出部
９        棚  板
１０      固定部
１０ａ    断面鈎型の屈曲部
１１      溝
１２      弾性部材
１３      窓
１４      弾  片
１５      突  部
１６      後端部
１７      化粧杆
１８      木ネジ
１９      背  板
【図１】
0005179785.tif 000002
【図２】
0005179785.tif 000003
【図３】
0005179785.tif 000004
【図４】
0005179785.tif 000005
【図５】
0005179785.tif 000006